(57)【要約】      （修正有）【課題】飲み口部に触れた唇により熱を感知することで火傷などを防止する、飲みやすいカップを提供する。【解決手段】カップ１ａの内部の壁面は、開口部５が外側に広く奥に向かって狭まり、カップを真横にするまでに、中に注いだ飲み物が全て流れ落ちる構造となり、飲む人が頭を後ろに倒す量を押さえることができものである。傾き線７を水平に対して立上がり角αを例えば８５度から７０度としたものを示す。また、開口部に対し飲み口と略対峙する側にハンドル８を設けている。【選択図】図２
0003188343.tif 000002
【実用新案登録請求の範囲】
【請求項１】
保温性を高めた二重構造の飲用のカップにおいて、
前記カップの開口部付近に飲み口部を設け、前記飲み口部を一重で形成したこと
を特徴とする飲みやすいカップ。
【請求項２】
請求項１に記載の飲みやすいカップにおいて、
前記飲み口部の内壁に窪みを設け、飲み物を一旦留める飲み物溜まり部を設けたこと
を特徴とする飲みやすいカップ。
【請求項３】
請求項１から請求項２の何れか一項に記載の飲みやすいカップにおいて、
前記飲み口部の面積は、４平方センチメートル以上としたこと
を特徴とする飲みやすいカップ。
【請求項４】
請求項１から請求項３の何れか一項に記載の飲みやすいカップにおいて、
前記カップの外形に飲み口部と略対峙する方向にハンドル部を設けたこと
を特徴とする飲みやすいカップ。
【請求項５】
請求項１から請求項４の何れか一項に記載の飲みやすいカップにおいて
内壁を開口部から奥に沿って、開口部より徐々に狭めた形状とし、
カップの中の飲用物が飲み口部より全て流れ出るために必要とするカップの傾き角を、
垂直に対し８５度以下としたのこと
を特徴とする飲みやすいカップ。
【請求項６】
請求項１から請求項５の何れか一項に記載の飲みやすいカップにおいて、
陶磁器製としたこと
を特徴とする飲みやすいカップ。
【請求項７】
請求項１から請求項５の何れか一項に記載の飲みやすいカップにおいて、
ガラス製や金属製としたこと
を特徴とする飲みやすいカップ。  
【請求項８】
請求項１から請求項５の何れか一項に記載の飲みやすいカップにおいて、
紙や、木や、プラスチック製としたこと
を特徴とする飲みやすいカップ。
【考案の詳細な説明】
【技術分野】
【０００１】
本考案は、喫飲用のカップに関するものである。
【背景技術】
【０００２】
従来、喫飲用のカップにおいて、保温性のカップはガラスや金属で二重構造にして開口部付近を溶着したものであった。また、最近では、プラスチックや紙により二重に形成し、開口部付近で重ねたものがある。さらには、プラスチック製品と金属などの組み合わせたものなどがある。
しかしながら、開口部付近で接合や溶着し、開口部付近で重ねたことにより、例えばカップに熱い飲み物を入れて口にする場合に、熱さを感じずに口にしてしまい唇などに火傷を負うことや、火傷などの過去の経験から恐る恐る飲むことになりかねなかった。また、カップ自身の外形が略円筒や逆円錐台となっており、持ちにくく、手首の返しがしづらかった。
【０００３】
特許文献１に合成樹脂材により把手部付きの外側を成形し、内側に適当空間部をおいて、金属で容器内側を形成したマグカップが記載されているが、中に熱い飲み物を入れた際に、中の飲み物が熱いことを検知できずに口に入れてしまい、唇や口腔内にやけどをすることが考えられる。
また、特許文献２には、低熱の液体を注いでも外面側に結露の生じない簡便構造の非結露容器が記載されているが、唇に感じる温度を考慮していない。
【特許文献１】特許公開平７−３２７８０３号
【特許文献２】特許公開２００５−８８８９８号
【考案の開示】
【考案が解決しようとする課題】
【０００４】
熱い飲み物を適度に保温するとともに、飲む前に中の温度を唇で感じることにより、熱い飲み物を飲用する際に唇などに火傷などすることを防止する。また、冷たいものを飲用する場合も冷たいものを沢山一気に口に入れて、歯に凍みるなどを防止する。また、飲用時にお年寄り等が、持ちにくく、カップを落とす事がある。また、カップを大きく傾けないとカップ内部の液体が流出せずに頭を後ろに傾けないと中の飲み物が飲みにくい、唇の横からこぼしやすいなどの問題を解決する。
【課題を解決するための手段】
【０００５】
本考案の飲みやすいカップは、保温性を高めた二重構造の飲用のカップにおいて、
前記カップの開口部付近に飲み口部を設け、前記飲み口部を一重で形成した。
前記飲み口部の内壁に窪みを設けた。
前記飲み口部の面積は、４平方センチメートル以上とした。
前記カップの外形に飲み口部と略対峙する方向にハンドル部を設けた。
内壁を開口部から奥に沿って、開口部より徐々に狭めた形状とし、
カップの中の飲用物が飲み口部より全て流れ出るために必要とするカップの傾き角を、
垂直に対し８５度以下とした。
前記カップを陶磁器製、ガラス製や金属製、または、紙やプラスチック製、
さらには、これらの組合せとしたことを特徴とする飲みやすいカップである。
【考案の効果】
【０００６】
本考案の飲みやすいカップは、例えば熱い飲み物を入れて、飲用しようとする際に、開口部付近に付いた飲み口を二重でない一重とする事で、飲み口から飲もうとする唇に熱さが伝わる。このため、熱い場合などには少しずつ口にするように促す事ができる。また、開口部付近を除き二重構造としていることで、保温性が保たれるとともに、手に熱が伝わりにくく持ちやすくなる。保温性としては、例えばお茶やコーヒを飲む場合に長時間の保温性は必ずしもいらないと考えられ、このため、簡易な保温カップが得られる。さらに、使い捨ての紙やプラスチックのカップの使用量が減らせる。
【図面の簡単な説明】
【０００７】
【図１】飲みやすいカップの実施例１平面図と断面図を示す。
【図２】飲みやすいカップの実施例２の平面図と断面図を示す。
【図３】飲みやすいカップの実施例２の使用状態を示す。
【図４】飲みやすいカップの実施例２のカップを握った状態の平面図を示す。
【図５】飲みやすいカップの実施例３の断面図を示す。
【図６】飲みやすいカップの実施例４の断面図を示す。
【考案を実施するための形態】
【０００８】
図１は、飲みやすいカップの実施例１を示し、（ａ）はカップ１の外形を示し、（ｂ）はカップ１の断面図を示す。カップ１は、内側カップ２と外側カップ３で構成され、開口部５付近で、接合され、内部に空洞部４を有する、また、開口部５の一部には、一重の飲み口部６が設けられた状態を示す。
カップ１は外形において縦方向中間部付近が窪み部２０を有し、手で持った際に窪み部２０により回した指にカップ１の外形上部が掛かり、手からカップ１を落としにくくなっている。また、全体が二重構造となっていると共に、下部膨らみ部３０が手の掌の内側にすっぽり収まりやすく、持ちやすい形状となっている。また、保温性が有り、例えば熱い飲み物を入れた際に持つ手に熱が伝わりにくくなっている。また、下部の膨らみ部３０と窪み部２０の構造により、略ボールを握る様に握れるために、手首が自由に動かしやすく、手首が固いお年寄りなどでも、握り方で手の持つ角度を調整することができる。
図１（ｂ）に示すように開口部５に設けた飲み口部６は二重構造となっておらず、一重部分を形成している。このため、本カップ１を傾け唇に触れた際に、飲み口部６の開口部付近は熱が伝わり、飲む前に、唇が熱を関知する。これらの事により、傾ける量を調整し、例えば少しずつ飲む様に心がけるなどの指令を脳に伝えることになる。これにより唇に火傷をする事を防止する事ができる。
例えば、カップ１は磁器製とし、窪み部２０を直径５０ｍｍから８０ｍｍとし、膨らみ部３０の直径を窪み部２０の径の１０ｍｍから２０ｍｍ大きくしたものである。
飲み口部６は開口部２から周囲に、例えば半円状に、４から８平方センチメートルとする。
この様に、例えば、熱い飲み物で言えば、熱さを関知しつも、保温ができ、持つ手が熱くない事や、持ちやすいことで、お年寄りや、小さな子供に便利な飲みやすいカップとなる。
外側カップ３の底には、例えば、電子レンジなどで暖めた際に内部の空気の膨張で、破裂や破壊しないように、空気を漏らす空気穴４０を設けている。空気穴４０は、キャップにより塞いでいる。また、空気穴は、弁を設けるなどや、パテで塞いでも良い。また、ステンレス綱などの金属を用いた場合は、空気穴は無くとも良い。
【０００９】
図２は、飲みやすいカップの実施例２を示し、カップ１ａの内部の壁面は、開口部５が外側に広く奥に向かって狭まり、カップを真横にするまでに、中に注いだ飲み物が全て流れ落ちる構造となり、飲む人が頭を後ろに倒す量を押さえる（少なくする）ことができものである。
傾き線７を水平に対して立上がり角αを例えば８５度から７０度としたものを示す。
（言いかえれば、カップの中の飲用物が開口部より全て流れ出るために必要とするカップの傾き角を、垂直に対し８５度から７０度とした。）
また、開口部に対し飲み口と略対峙する側にハンドル８を設けている。
図３は、飲みやすいカップの実施例２の使用例を示し、カップ１ａを手で握り、ハンドル８の下に指を入れて把持する事により、ハンドル上部のカギ部８１で握った指が上方向などに、滑ら無いように、押さえることで、安定した把持が可能になる。
このため、手に力が入りにくい人や、余り力のないお年寄りなどにも飲みやすいカップである。
また、唇１０に飲み口６ａを載せて飲用する事により、飲み口６ａが開口部よりより横に広がり、飲み物がこの範囲から口に流れる。このことにより、横に広がり流れる事を押さえることで唇からこぼれにくく、強いては、こぼしにくくなる。
また、飲み口には、内側に凹んだ凹み部があり、この部分に飲み物が一旦滞留する、飲み物溜まり６ａａを設けた事で、一気に口に流さず、一旦飲み物溜まり部６ａａに溜めるようにしてから、飲み物溜まり部６ａａから少しずつ飲む、例えば、なめるように、少しずつ飲み物を味わう事ができる。高齢者で口が渇きやすい状態で、口を湿らす程度の飲み方に有効である。
図４は、飲みやすいカップの実施例２の使用例を示し、カップ１ａを手で握り、ハンドルの下に指を入れた状態の上部から見た図を示す。
開口部５に対し飲み口６ａと略対峙する側にハンドル８を設けている様子を示す。
以降、説明が同様な点は省略する事とする。
【００１０】
図５は、飲みやすいカップの実施例３の断面図を示し、カップ１ｂは本体を例えば、ステンレス製としたものを示す。
カップ１ｂは、外側カップ３と内側カップ２を成形後、それぞれを溶接し、表面を研磨したものを示す。
ステンレス製にすることにより、例えばビールを飲むなど、多用途な、壊れにくいカップができる。またその際、開口部５の付近にカールを設けたり、縁を設けたりしても良い。
また、ハンドル８は、指穴８ａａを設け指穴に指を通して持つことで、より安定して持つことができる。
【００１１】
また、他の例として、ガラス製とし、外側と内側を成形後にそれぞれを溶着し、例えばワインやビールなどを保冷して飲むのにも適したカップができる。
さらには、プラスチックで構成しても良い。
【００１２】
図６は、飲みやすいカップの実施例４のカップ１ｃを示し外側カップ３ｃに内側カップ２ｃを被せる事により、カップ１２を形成したもの示す。例えば、ステンレス鋼で内側カップ２ｃを形成し、外側カップ３ｃをプラスチックでインサート成型したものである。その際、カップ内側２ｃとカップ外側３ｃの接合面に、突起部や、穴などを設け接合を高めても良い。また、プラスチック樹脂でインサート成型とせずに、別々に成型し後からはめ込みや接着としても良い。
また、紙やプラスチック、さらには、金属を含めた、これらの組合せ等でも良い。内側カップ２ｃと、外側カップ３ｃは、はめ込みでも、接着剤などによる接着により組み立てても良い。また、図示しないが底部に台座、例えば薄板を十字組み立てた台座を外側カップ３ｃの内側に立てた状態で形成し、内側カップ２ｃの底をその上に載せる構造としても良い。
以上、本考案に係る飲みやすいカップの各実施形態と実施例について説明した。
【００１３】
本考案に係る飲みやすいカップは上記に限らず、さらに多くの代替物、修正および変形例が当業者にとって明らかである。また、上記各実施形態や変形例における各特徴をそれぞれ組み合わせて用いることもできる。
【符号の説明】
【００１４】
１・１ａ・１ｂ・１ｃ：カップ、
２・２ａ：外側カップ
３：内側カップ
４：空洞部
５：開口部
６・６ａ・６ｂ・６ｃ：飲み口
６ａａ：飲み物溜まり部
７：傾斜線
８・８ａ：ハンドル部
８１：カギ部
８ａａ：指穴
９：指
１０：唇
２０：窪み部
３０：膨らみ部
α：立上がり角
【図１】
0003188343.tif 000003
【図２】
0003188343.tif 000004
【図３】
0003188343.tif 000005
【図４】
0003188343.tif 000006
【図５】
0003188343.tif 000007
【図６】
0003188343.tif 000008
【手続補正書】
【提出日】平成25年11月26日(2013.11.26)
【手続補正１】
【補正対象書類名】明細書
【補正対象項目名】０００２
【補正方法】変更
【補正の内容】
【０００２】
従来、喫飲用の保温性カップは、ガラスや金属で二重構造にし開口部付近を溶着したものであった。また、最近では、プラスチックや紙により二重に形成し、開口部付近で重ねたものがある。さらには、プラスチック製品と金属などの組み合わせたものなどがある。
【手続補正２】
【補正対象書類名】明細書
【補正対象項目名】０００３
【補正方法】変更
【補正の内容】
【０００３】
特許文献１に合成樹脂材により把手部付きの外側を成形し、内側に適当空間部をおいて、金属で容器内側を形成したマグカップが記載されている。特許文献２には、低熱の液体を注いでも外面側に結露の生じない簡便構造の非結露容器が記載されている。
【手続補正３】
【補正対象書類名】明細書
【補正対象項目名】０００４
【補正方法】変更
【補正の内容】
【０００４】
しかしながら、開口部付近で接合や溶着し、開口部付近で重ねたことにより、例えばカップに熱い飲み物を入れて口にする場合に、熱さを感じずに口にしてしまい唇などに火傷を負うことや、火傷などの過去の経験から恐る恐る飲むことになりかねなかった。また、カップ自身の外形が円筒や逆円錐台となっており、持ちにくく、手首の返しがしづらかった。
特許文献１のマグカップにおいては、中に熱い飲み物を入れた際に、中の飲み物が熱いことを検知できずに口に入れてしまい、唇や口腔内にやけどをすることが考えられる。また、特許文献２の非結露容器においては、唇に感じる温度を考慮していない。
そこで、本考案の目的は、熱い飲み物を適度に保温するとともに、飲む前に中の温度を唇で感じることにより、熱い飲み物を飲用する際に唇などに火傷などすることを防止する。また、冷たいものを飲用する場合も冷たいものを沢山一気に口に入れて、歯に凍みるなどの問題を防止する。また、飲用時にお年寄り等が、持ちやすくし、カップの落下を防止する。また、カップを大きく傾けないとカップ内部の液体が流出せずに頭を後ろに傾けないと中の飲み物が飲みにくく、唇の横からこぼしやすいなどの問題を解決する。
【手続補正４】
【補正対象書類名】明細書
【補正対象項目名】０００５
【補正方法】変更
【補正の内容】
【０００５】
本考案の飲みやすいカップは、保温性を高めた二重構造の飲用のカップにおいて、
前記カップの開口部付近を、二重構造としない一重部分形成し熱感知部とした。
前記カップの外形において、縦方向中央付近に窪み部設け、下方部に膨らみを持たせてもよい。
前記熱感知部の幅を開口部から１０ｍｍ以上としてもよい。さらに、３０ｍｍ以上としてもよい。
内壁を奥に沿って、開口部より徐々に狭めた形状とし、カップの中の飲用物が開口部より全て流れ出るために必要とするカップの傾き角を、垂直に対し８５度以内としてもよい。
開口部に、さらに開口部より外に広がる飲み口部を設けてもよく、陶磁器製、金属製ガラス製、プラスチックや紙製とすることもできる。